(57)【特許請求の範囲】
【請求項１】
５×５の数字マトリックスで構成されるくじを製造する製造方法であって、マトリックスのたて、よこ、および斜めの列をすべて網羅する、少なくとも５個の当選制御セルと、当選制御セルの一つを当選判別セルとして設定し、マトリックスを構成する前記当選制御セルを含むセルに、非当選数字群の数字を無作為に配列し、当選数字群の数字を配列するための、たて、よこ、または斜めの１列以上の当選制御列を、無作為に選択し、選択された当選制御列の、当選制御セルを除くセルに、当選数字群の数字を配列し、前記選択された当選制御列に含まれる当選制御セルに、当選数字群の数字を配列するとともに、前記設定した当選判別セルに、所定の当選判別数字を配列することを特徴とするくじの製造方法。
【請求項２】
複数の異なる数字をマトリックス状に配列したくじを製造する製造方法であって、マトリックスのたて、よこ、および斜めの列をすべて網羅する、所定数の当選制御セルと、当選制御セルの一つを当選判別セルとして設定し、マトリックスを構成する前記当選制御セルを含むセルに、非当選数字群の数字を無作為に配列し、当選数字群の数字を配列するための、たて、よこ、または斜めの１列以上の当選制御列を、無作為に選択し、選択された当選制御列の、当選制御セルを除くセルに、当選数字群の数字を配列し、前記選択された当選制御列に含まれる当選制御セルに、当選数字群の数字を配列するとともに、前記設定した当選判別セルに、所定の当選判別数字を配列することを特徴とするくじの製造方法。
【請求項３】
５×５の数字マトリックスで構成されるくじを製造する製造装置であって、マトリックスのたて、よこ、および斜めの列をすべて網羅する、少なくとも５個の当選制御セルと、当選制御セルの一つを当選判別セルとして設定する制御情報設定部と、マトリックスを構成する前記当選制御セルを含むセルに、非当選数字群の数字を無作為に配列する非当選くじ情報生成部と、当選数字群の数字を配列するための、たて、よこ、または斜めの１列以上の当選制御列を、無作為に選択する当選制御列選択部と、当選制御列選択部にて選択された当選制御列の、当選制御セルを除くセルに、当選数字群の数字を配列する次選くじ情報生成部と、当選制御列選択部にて選択された当選制御列に含まれる当選制御セルに、当選数字群の数字を配列するとともに、制御情報設定部にて設定した当選判別セルに、所定の当選判別数字を配列する当選くじ情報生成部とを備えたことを特徴とするくじの製造装置。
【請求項４】
複数の異なる数字をマトリックス状に配列したくじを製造する製造装置であって、マトリックスのたて、よこ、および斜めの列をすべて網羅する、所定数の当選制御セルと、当選制御セルの一つを当選判別セルとして設定する制御情報設定部と、マトリックスを構成する前記当選制御セルを含むセルに、非当選数字群の数字を無作為に配列する非当選くじ情報生成部と、当選数字群の数字を配列するための、たて、よこ、または斜めの１列以上の当選制御列を、無作為に選択する当選制御列選択部と、当選制御列選択部にて選択された当選制御列の、当選制御セルを除くセルに、当選数字群の数字を配列する次選くじ情報生成部と、当選制御列選択部にて選択された当選制御列に含まれる当選制御セルに、当選数字群の数字を配列するとともに、制御情報設定部にて設定した当選判別セルに、所定の当選判別数字を配列する当選くじ情報生成部とを備えたことを特徴とするくじの製造装置。
【請求項５】
請求項３または請求項４に記載のくじの製造装置において、くじの数字マトリックスと符合する当選数字群を無作為に生成する当選数字群生成手段と、前記当選数字群の数字を除いた非当選数字群を生成する非当選数字群生成手段と、当選くじを識別するための当選判別数字を前記当選数字群の中から選択する当選判別数字選択手段とからなる数字群生成部と、前記数字群生成部で得られた当選数字群を、複数組に分割して出力する当選数字群出力部とをさらに備えていることを特徴とするくじの製造装置。
【請求項６】
請求項３から請求項５のいずれかに記載のくじの製造装置において、発行くじ総量と当選くじ数量とを設定するくじ数量設定部と、生成するくじ用数字群情報にくじ制作番号を付与し、前記くじ制作番号が、くじ数量設定部にて設定した発行くじ総量と当選くじ数量との比率に対応するか否かによって、生成するくじ用数字群を当選くじとするか否かを判別するくじ種判別部とをさらに備えたことを特徴とするくじの製造装置。
【請求項７】
複数の異なる数字をマトリックス状に配列したくじに対し、抽出した当選数字と符合する数字が、くじの数字マトリックスにおいて、たて、よこ、または斜めに、一列に並んだくじを当選とするくじと、前記くじの一辺に印刷した切り取り線を介して連接した綴じ込み片とで構成したくじ紙葉を、前記綴じ込み片を介して、他の印刷紙葉とともに刊行物に綴じ込むとともに、
前記複数回に分けて発表される前記くじの当選数字のうち、最初に発表される当選数字群を一部に印刷したことを特徴とするくじ付刊行物。
【請求項８】
前記綴じ込み片に、くじの制作番号を印刷してあることを特徴とする請求項７に記載のくじ付刊行物。
【発明の詳細な説明】
【０００１】
【発明の属する技術分野】
本発明は、くじの製造方法、くじの製造装置、およびくじ、ならびにくじ付刊行物に関する。特に、所定数量の当選くじを含むくじをあらかじめ無作為に配付した後、当選数字を複数回に分けて順次発表し、最後に発表した当選数字によって、所定数量の当選くじを発生せしめることを目的とするくじに関する。
【０００２】
【従来の技術】
商品販売事業者やサービス事業者は、固定客を確保するために、賞品や賞金、景品やサービスを顧客に提供する顧客サービスを適宜実施している。例えば、商品に直接景品を添付したり、あるいは商品に点数券を添付し、集めた点数券の多寡により、種々の景品と交換するサービスなどがある。
【０００３】
また、懸賞や景品サービスでは、抽選券やレシート、あるいは商品の容器や包装などを抽選券としたり、一部の商品にのみ添付した景品や景品引換証、あるいは点数券などを用いて行うくじその他の偶然性を利用する方式や、予想募集、優等懸賞応募、パズル、クイズの解答募集、競技、演技、遊技の優劣など、特定の行為の優劣または正誤によって行う方式などにより、当選者や当選額を決定している。
【０００４】
さらに、多数の応募者の中から特定数の当選者を抽出し、景品等を提供する方式として、例えば、応募者に１枚または複数枚の番号票を配付し、ある特定日に当選番号を決定し、当該番号の番号票を所持している応募者を、当選者とする方式が一般によく行われている。この方式では、通常、配付する番号票に固有の、すなわち同一番号の番号票がない状態にすることで、当選番号を決定する際、当選者数や景品の種類を特定することができる。
【０００５】
また、別の方式では、景品サービスへの参加希望者に対し、クイズを出題し、例えば、はがき様式のクイズ解答書を事業者へ郵送し、後日、その応募はがきの中から当選者を抽出する方式もある。
【０００６】
【発明が解決しようとする課題】
ところで、これらの懸賞や景品サービスは、過度の競争を制限するための景品表示法などの法律によって、景品類の最高額（例えば、商品価格に対する景品価格の倍率）や、景品類の総額の最高限度（例えば、商品の予想売上額に対する景品総額の割合）が規制されている。
【０００７】
すなわち、懸賞や景品サービスの企画、実施においては、予想される景品総額に基づいて景品価格と懸賞当選者数とを反比例的に決定し、それに対応するくじ（抽選券）を制作しなければならない。一方、くじの種類や、応募資格、抽選方式などによって、懸賞や景品サービスに対する消費者の当選期待感が左右され、ひいては消費者の商品購買意欲に大きな影響を与える。
【０００８】
本発明は、上述のような事情に鑑み、法規定に則った懸賞（景品）用のくじを提供するとともに、消費者の購買意欲を高めて、固定客化を図ることができ、さらに、くじの当選判別が容易なくじの製造方法と、くじの製造装置を得るものである。
【０００９】
【課題を解決するための手段】
図１に、本発明のくじの一構成例を示す。図に示すように、本発明のくじは、いわゆるビンゴゲーム用カードと類似の形態を有している。すなわち、個々のくじの表面に、例えば５×５のマトリックスを形成し、このマトリックスに、互いに重複することのない２５個の数字を配列して数字マトリックスを得る。
【００１０】
数字の配列は、例えば、Ｘ１のたて列には、「１」〜「１５」の数字の中から無作為に抽出した５個の数字を、無作為の順序で配列する。同様に、Ｘ２のたて列には「１６」〜「３０」の数字の中から無作為に抽出した５個の数字を、また、Ｘ３のたて列には「３１」〜「４５」の数字の中から無作為に抽出した５個の数字を、さらに、Ｘ４のたて列には「４６」〜「６０」の数字の中から無作為に抽出した５個の数字を、さらにまた、Ｘ５のたて列には「６１」〜「７５」の数字の中から無作為に抽出した５個の数字を、それぞれ、無作為の順序で配列する。
【００１１】
なお、数字マトリックスは、くじごとに無作為に抽出した数字を、くじごとに無作為に配列して形成するのが理想とされ、その場合、くじの数字配列は、理論的には（15Ｐ5 ）5 ＝３６０，３６０5 ≒６．１×１０27通りあるが、そのようなくじを制作するのは、時間的にも、コスト的にも、またくじの管理面からも、望ましいことではない。特に、本発明の目的の一つである一定数量の当選くじを、正確に発生させるためには、後述するように、数字マトリックスの生成方法に特段の工夫が必要である。
【００１２】
また、本発明のくじは、図１には示していないが、マトリックスの中央に、数字に代わる符号を表示してもよい。その符号は、すべての数字に代用できるものとすることにより、くじの当選確率がアップし、商品購買意欲を高めることに繋がる。ここでは、その記号をＦＲＥＥセルと呼ぶ。また、数字マトリックスを構成する個々の要素を単にセルと呼ぶ。なお、ＦＲＥＥセルを設けた場合のマトリックスの数字配列は、理論的には（15Ｐ5 ）4 ×（15Ｐ4 ）≒５．５×１０26通りある。
【００１３】
５×５の数字マトリックスを形成したくじの場合、図２に示すように、くじの当選列は、たて列がＡ〜Ｅの５列、よこ列がＦ〜Ｊの５列、斜め列がＫ、Ｌの２列、合計１２列になる。このくじの場合、数字マトリックスと符合させる当選数字を、１〜７５の数字の中から無作為に抽出する方法をとると、たて列Ａ〜Ｅが当選列になる確率は、よこ列または斜め列が当選列になる確率の約１／５になる。したがって、くじの当選列に多様性をもたせるときは、この確率比を解消するよう、当選列の設定方法に特段の工夫が必要である。
【００１４】
また、個々のくじ所有者が、当選数字とくじの数字マトリックスとを符合した結果、たて、よこ、または斜めに当選数字が１列に並んだと、間違って判断する場合もあり、くじ所有者が当選くじとして、主催者にくじを提示したとき、くじ主催者は、そのくじが確かに当選くじかどうかを検証する必要がある。しかし、数字マトリックスを用いたくじの場合、提示されたくじの数量が多いと、当選か否かの検証は大変な手間がかかる。
【００１５】
そこで、くじ主催者だけが知り得、くじ所有者に対しては秘密にされる当選くじを表す符号を、あらかじめ、くじに印刷しておくのが望ましい。なお、この秘密符号は、万一、くじが偽造、もしくは変造された場合の正当くじか否かの検証に利用することもできる。具体的には、くじの数字マトリックスにおける特定座標に、当選くじのみに用いる特定の数字を印刷して秘密符号とする。
【００１６】
さらに、一般的な方法で当選数字を発表する場合の初期段階では、くじの数字マトリックスと符合する数字は、例えば、各列２個ずつ計１０個の当選数字を発表しても、平均で約３．３（１０×２５／７５）個しか符合せず、同様に各列６個ずつ計３０個の当選数字を発表しても平均で１０個しか符合しない。しかも、その符合数字が一列に並ぶ確率は小さい。例えば、当選数字と符合した５個の数字が、よこ一列に並ぶ確率は１／５4 ＝１／６２５であり、斜め一列に並ぶ確率は２／５5 ＝２／３，１２５、たて一列に並ぶ確率は１／５5 ＝１／３，１２５である。したがって、数百分の１〜数十分の１の割合で当選くじを発生させようとする場合、当選くじの数量を作為的に増大する必要がある。
【００１７】
一方、くじの所有者は、当選数字が発表されて数字マトリックスと符合したとき、２個よりは３個、望ましくは４個の当選数字が、たて、よこ、または斜め一列に並ぶと、自分のくじが当選するかもしれないという期待が大きくなる。そこで、本発明の数字マトリックスを用いるくじでは、最初の当選数字の発表段階では、すべてのくじにおいて最低１個、望ましくは平均以上の個数の符合数字が発生し、かつ最後の当選数字を発表する前の段階、すなわち中間での当選数字発表段階では、すべてのくじにおいて、当選数字がたて、よこ、または斜め一列に４個並ぶように、マトリックスに配列する数字群を生成する。
【００１８】
さらに、最後の当選数字発表により、個々のくじの当落を確定させ、しかも、あらかじめ計画した当選くじの数量どおり、正確に当選くじが発生するように、各くじのマトリックスに配列する数字群を生成する。また、各くじのマトリックスに配列する数字は、可能な限り無作為に選択し、かつ可能な限り無作為に配列して、数字マトリックスを得る。
【００１９】
すなわち、本発明は、複数の異なる数字をマトリックス状に無作為に配列したくじに対し、別途、無作為に複数の当選数字を抽出し、抽出した当選数字と符合する数字が、くじの数字マトリックスにおいて、たて、よこ、または斜めに、一列に並んだくじを当選とするくじであって、所定数量の当選くじをほぼ均一に分散して、発行くじ総量分のくじ用数字群情報を生成し、前記くじ用数字群情報を可変情報印刷装置に入力して、くじ用紙に数字マトリックスを印刷して制作するくじである。
【００２０】
具体的には、先ず、くじの数字マトリックスと符合する当選数字群を無作為に抽出し、得られた当選数字群を複数組に分割して、複数回に分けて発表する当選数字群を生成する。次に、くじ用数字群を生成する。くじ用数字群の生成においては、生成するくじ用数字群情報を計数し、あらかじめそれぞれ任意に定めておいた発行くじ総量と当選くじ数量との比率と、前記計数値とを比較し、当選くじ用数字群を生成するか、または非当選くじ用数字群を生成するかを判別して、いずれかのくじ用数字群を順次生成し、発行くじ総量分の全くじ用数字群を生成する。
【００２１】
例えば、５×５のマトリックスを用いるくじの、当選くじ用数字群または非当選くじ用数字群を、個々に生成するため、本発明では、先ず、くじの数字マトリックスにおける、たて、よこ、および斜めの列をすべて網羅する、少なくとも５個の当選制御セル（のマトリックス座標）を設定する。
【００２２】
次に、この５個の当選制御セルを含むすべてのセルに、前記当選数字群の数字を除いた数字、すなわち非当選数字群の数字を配列してくじ用数字群を生成する。すると、そのくじは、数字マトリックスのたて、よこ、および斜めのいずれの列においても、当選数字が５個並ぶことがなく、非当選くじになる。一方、この５個の当選制御セルのいずれかを含む列に、前記当選数字群の数字を配列してくじ用数字群を生成すると、そのくじは当選数字が５個並ぶ当選くじになる。
【００２３】
また、前記５個の当選制御セルすべてに、前記当選数字群の数字を除いた数字、すなわち非当選数字群の数字を配列するとともに、当選制御セルのいずれかを含む列の当選制御セル以外のセルに、前記当選数字群の数字を配列してくじ用数字群を生成すると、当選数字が４個並んだ次選くじになる。なお、この次選くじは、非当選くじとして扱われる。
【００２４】
さらに、前記当選くじ用数字群を生成する際、５個の当選制御セルのいずれかを含む列に、当選数字群の数字を配列するとともに、あらかじめ定めた特定のマトリックス座標に、当選くじか否かを判別する当選判別数字を配列することによって、くじが当選くじか否かの判別が容易になる。なお、この当選判別数字は、くじの所有者には公開されず、くじの発行者のみが知りえる秘密数字とする。
【００２５】
さらにまた、本発明のくじでは、くじの数字マトリックスと符合する当選数字群を、複数組に分割し、複数回に分けて当選数字を発表するが、すべてのくじにおいて、最初に発表する当選数字群と符合する数字が、１個以上生じるようにくじ用数字群を生成する。また、すべてのくじにおいて、最初および／または中間において発表する当選数字群と符合する数字によって、次選くじ、すなわち当選数字が４個並ぶ列が、１列以上生じるように、くじ用数字群を生成する。
【００２６】
つまり、本発明のくじ製造方法によれば、当選数字群の発表によって、すべてのくじにおいて、当選数字と符合する数字が発生し、また、あと一つ、数字が符合すれば当選くじとなる数字列を発生させる。さらに、本発明のくじ製造方法では、最後に発表する当選数字群によってくじの当落が確定し、かつ、たて、よこ、または斜めに当選数字群と符合する数字列が一列に並ぶ当選くじを、全くじ中において均一に分散して所定数量分発生するように、くじ用数字群を生成する。
【００２７】
【発明の実施の形態】
以下、本発明のくじの製造方法、製造装置について、その実施の形態を図面に基づいて詳細に説明する。なお、図３は、本くじを制作するための製造装置の全体構成図である。また、図４は、くじ製造装置を構成するくじ情報生成装置などの処理、制御装置のハードウェア構成図である。さらに、図５は、くじ製造装置を構成するくじ情報生成装置の機能構成図である。
【００２８】
（くじ製造装置の全体構成）
先ず、くじ製造装置の全体構成について説明する。図３において、１１は、くじの数字マトリックスと符合する複数組の発表用当選数字群情報を生成し、また、所定発行総量分のくじについて、各マトリックスに配列するくじ用数字群情報を生成するための、くじ情報生成装置である。くじ情報生成装置１１としては、生成したくじ用数字群情報と発表用当選数字群情報とを記憶するための、情報記憶装置を備えたパーソナルコンピュータやワークステーションを用いることができる。
【００２９】
１２は、前記くじ情報生成装置１１で生成したくじ用数字群情報を、くじ制作番号とともに記憶させるくじ情報記録媒体である。くじ情報記録媒体１２は、例えば、磁気ディスク、光ディスク、光磁気ディスク、磁気テープなどの可搬型記録媒体を用いることができる。また、１６は、前記くじ情報生成装置１１で生成した複数組の発表用当選数字群情報を、発表番号ととともに記憶させる当選番号情報記録媒体である。当選番号情報記録媒体１６は、例えば、磁気ディスク、光ディスク、光磁気ディスク、磁気テープなどの可搬型記録媒体を用いることができる。
【００３０】
１３および１４は、くじ情報記録媒体１２に記録したくじ用数字群情報とくじ制作番号とを読み出して、くじ用紙１５にくじの数字マトリックスとくじ制作番号とを印刷するための、印刷出力制御装置と可変情報印刷装置である。印刷出力制御装置１３は、可変情報印刷装置１４との通信インターフェイスを備えたパーソナルコンピュータやワークステーションを用いることができる。また、可変情報印刷装置１４は、くじ用紙１５に印刷する数字や文字の大きさ、位置を、自由に設定できる電子写真式のレーザープリンタ、静電印刷式の静電プロッタ、インクジェットプリンタ、あるいは熱転写プリンタやワイヤドットプリンタなど各種形式の印刷装置が用いられる。
【００３１】
１７および１８は、当選番号情報記録媒体１６に記録した発表用当選数字群情報と発表番号とを読み出して、製版フィルムまたは印画紙、あるいは感光性樹脂を塗布したＰＳ版などの感光材１９に、発表用当選数字群情報と発表番号とを露光描画するための、製版出力制御装置と製版出力機である。製版出力制御装置１７は、製版出力機１８との通信インターフェイスを備えたパーソナルコンピュータやワークステーションを用いることができる。
【００３２】
また、製版出力機１８は、製版フィルムに分版画像（Ｃ、Ｍ、Ｙ、Ｋ）を露光描画するフィルム出力機、または、印刷版を直接製版する直接製版機を用いることができる。具体的には、製版フィルムや印画紙、もしくは平版印刷用のＰＳ版などに光学露光により製版画像を形成するイメージセッタ、凹版印刷用のグラビアシリンダに直接、彫刻製版するグラビア彫刻機、あるいは感光液を塗布したグラビアシリンダに光学露光により製版するダイレクト刷版機など各種形式の製版装置が用いられる。
【００３３】
（処理装置のハードウェア構成）
ここで、くじ情報生成装置１１や印刷出力制御装置１３、製版出力制御装置１７などに用いるコンピュータのハードウェア構成について説明する。図４は、パーソナルコンピュータやワークステーションと呼ばれる小型コンピュータの典型的なハードウェア構成図である。
【００３４】
図４において、１は、プログラムを実行して、演算処理やバスを介して接続したコンピュータ各部の動作を制御する演算制御装置である。２は、実行するプログラムや演算データなどを記憶するための揮発性半導体メモリで構成したメインメモリである。また、３は、コンピュータの起動時に、外部記憶装置４に記憶されているプログラムやデータを、メインメモリ２に格納するためのプログラムを内蔵した不揮発性半導体メモリであるＲＯＭ（リードオンリメモリ）である。
【００３５】
４は、外部記憶装置であり、大容量でアクセス速度の速い固定磁気ディスク装置、もしくは光磁気ディスク装置などを用いる。この外部記憶装置４には、コンピュータを動作させるプログラムやデータとともに、図３に示したくじ情報生成装置１１にあっては、生成したくじ用数字群情報や発表用当選数字群情報を格納する。
【００３６】
５は、コンピュータを操作するためのマウスやキーボードなどの入力操作装置で、入力操作装置５による指示入力に基づいて、装置各部の動作を制御する。６は、入力操作装置５からの入力操作を装置使用者にガイドしたり、入力操作装置５による入力指示に基づいて演算制御装置１にて実行した処理の結果を、装置使用者に伝達するためのＣＲＴ（ブラウン管）やＬＣＤ（液晶表示装置）などの画面表示装置である。
【００３７】
また、７は、必要に応じてコンピュータに接続する磁気テープドライブ、ＣＤ−ＲＯＭドライブ、ＦＤドライブ、ＭＯドライブなどの補助記憶装置や、イメージスキャナ、ＯＣＲ（光学文字認識）スキャナ、バーコードスキャナ、プリンタ、などの各種周辺機器を接続するための周辺機接続部である。この周辺機接続部７は、例えば、ＳＣＳＩ(Small Computer System Interface) 、あるいはＲＳ２３２Ｃなどと呼ばれるインターフェイス回路で構成する。なお、固定磁気ディスク装置などの外部記憶装置４も、この周辺機接続部７を介して接続するように構成してもよい。
【００３８】
８は、他のコンピュータまたはネットワーク構成機器と通信するための通信制御装置であり、Ｅｔｈｅｒｎｅｔに代表されるＬＡＮ(Local Area Network)の通信線８Ａを介して、他のコンピュータやネットワーク機器に接続する。
【００３９】
（くじ情報生成装置の機能構成）
次に、くじ製造装置を構成するくじ情報生成装置１１の具体的な機能構成について説明する。図５は、くじ情報生成装置１１の機能ブロック図である。図において、２０は、くじの数字マトリックスに配列する当選数字群Ｖ、当選判別数字Ｕ、および非当選数字群Ｗなどの数字群を無作為に生成する数字群生成部である。２１は、数字群生成部２０で生成したくじのマトリックスに配列するための数字群を、一旦記憶する数字群記憶部である。２２は、数字群生成部２０で生成した当選数字群Ｖを、無作為に複数組に分割した発表用当選数字群Ｖａ、Ｖｂ、Ｖｃを、記憶する発表用当選数字群記憶部である。２３は、発表用当選数字群記憶部２２に記憶した発表用当選数字群Ｖａ、Ｖｂ、Ｖｃを読み出して、情報記録媒体に複製するための当選数字群出力部である。
【００４０】
２４は、くじを当選くじとするか非当選（落選）くじとするかを制御するための当選制御セル情報Ｍ、および、当選くじか否かを判別するための当選判別数字Ｕを配列するための当選判別セル情報Ｔを設定する制御情報設定部である。２５は、発行くじ総量Ｚ、および当選くじ数量Ｐを設定するくじ数量設定部である。３０は、制御情報設定部２４、およびくじ数量設定部２５にて設定した情報に基づいて、数字群記憶部２１に記憶されている当選数字群Ｖ、当選判別数字Ｕ、および非当選数群Ｗなどの数字群を用いて、くじのマトリックスに対し、可能な限り無作為に数字を配列し、当選くじ、もしくは非当選くじの数字マトリックスを生成するくじ情報生成部である。
【００４１】
くじ情報生成部３０は、生成するくじ用数字群情報の数量を計数し、くじ制作番号を生成するくじ情報計数部３１と、生成したくじ制作番号を所定の条件で分類し、当選くじ用数字群情報を生成するか、または非当選くじ用数字群情報を生成するかを判別するくじ種判別部３２と、非当選数群Ｗの数字をマトリックスに無作為に配列して、非当選くじの数字群情報を生成する非当選くじ情報生成部３３と、当選数字群Ｖの数字を配列するための、たて、よこ、または斜めの当選制御列を無作為に選択する当選制御列選択部３４と、当選制御列選択部３４にて選択された列の、当選制御セルを除くセルに当選数字群Ｖの数字を可能な限り無作為に配列し、次選くじの数字群情報を生成する次選くじ情報生成部３５と、当選制御列選択部３４にて選択された当選制御列に含まれる当選制御セルＭに、当選数字群Ｖの数字を可能な限り無作為に配列するとともに、制御情報設定部２４にて設定した当選判別セルＴに当選判別数字Ｕを配列し、当選くじの数字群情報を生成する当選くじ情報生成部３６とで構成する。
【００４２】
３７は、上記くじ情報生成部３０て生成した、当選くじの数字群情報、または次選くじ（非当選くじとして扱うくじ）の数字群情報を、くじ制作番号とともに、くじ用数字群情報を生成する都度、記憶蓄積するくじ情報記憶部である。また、３８は、くじ情報記憶部３７に蓄積記憶したくじ用数字群情報を読み出して、くじ情報記録媒体に複製するくじ情報出力部である。
【００４３】
（くじ情報生成装置の作用動作）
つぎに、本実施形態のくじ製造装置におけるくじ情報生成装置について、その作用動作を説明する。本くじ情報生成装置は、大別して４つの機能を備えており、その第１の機能は、くじの数字マトリックスと符合する当選数字群Ｖを可能な限り無作為に生成する数字群生成機能である。第２の機能は、数字群生成部２０で得られた当選数字群Ｖを複数組に分割して、発表用の当選数字群情報を得るととともに、秘密の当選判別数字Ｕを得る機能である。
【００４４】
第３に、前記当選数字群Ｖ、当選判別数字Ｕ、および当選数字群の数字を除いた非当選数字群Ｗを、くじのマトリックスに可能な限り無作為に配列しつつ、所定数量の当選くじ用の数字群情報を、全発行くじ中にほぼ均一に分散しながら、非当選くじ用の数字群情報とともに生成する機能である。第４は、生成した当選くじ用数字群情報、および非当選くじ用数字群情報を、くじ制作番号とともに出力し、くじ制作用印刷情報を得る機能である。
【００４５】
図６は、くじ情報生成装置１１のメニュー選択画面を示している。上述のようにくじ情報生成装置は、４つの機能を備えており、図６に示す処理メニューを順次選択して、発表用当選数字群情報およびくじ用数字群情報を得る。
【００４６】
（数字群生成処理）
先ず、第１の機能である数字群生成処理について説明する。数字群生成処理は、図６に示すメニュー選択画面の「数字群生成」を選択して、図５の数字群生成部２０により、くじの数字マトリックスと符合する当選数字群の数字を、可能な限り無作為に選択する。図７に、数字群生成部２０のより詳細な構成および処理内容を示す。図に示すように、数字群生成部２０は、置数制御部４１、置換制御部４２、乱数発生器４３、およびレジスタＲ１５とを備えている。
【００４７】
数字群生成部２０では、くじの数字マトリックスと符合する当選数字群の数字を可能な限り無作為に選択するため、また、得られた当選数字群の数字を、後述するくじ情報生成処理において有効に利用するため、Ｘ１列〜Ｘ５列にそれぞれ配列する数字群ごとに当選数字群を生成する。なお、本実施形態では、各列１５種類の数字の中から、それぞれ６種類、合計６×５＝３０種類の数字で構成される当選数字群を生成する。この場合、当選数字群の数字の組合せは（15Ｃ6 ）5 ≒３．１４×１０18通りあり、その中の１通りを無作為に生成し、当選数字群Ｖとする。
【００４８】
各列の当選数字群Ｖ１〜Ｖ５は、以下の手順で生成される。先ず、置数制御部４１によって、レジスタＲ１５に、例えば、Ｘ１列の数字１〜１５を数字順に配列する。次に、置換制御部４２が、乱数発生器４３を用いて１〜１５の範囲から乱数Ｍ１を生成させ、得られた乱数Ｍ１を用いて、レジスタＲ１５の１番目の数字とＭ１番目の数字を置換する。次いで、置換制御部４２が、乱数発生器４３を用いて２〜１５の範囲から乱数Ｍ２を生成させ、得られた乱数Ｍ２を用いて、レジスタＲ１５の２番目の数字とＭ２番目の数字を置換する。
【００４９】
同様に、置換制御部４３は、乱数発生器４３を用いて、順次、乱数Ｍ３〜Ｍ１４を発生させ、その都度、レジスタＲ１５の３〜１４番目の数字と、Ｍ３〜Ｍ１４番目の数字とを置換する。その結果、レジスタＲ１５に配列した１〜１５の数字は、例えば、図６の置換処理後に示すように無作為に配列される。本実施形態では、レジスタＲ１５における置換処理後の数字列の、１〜６番目の数字を当選数字群Ｖ１として、また７〜１５番目の数字を非当選数字群Ｗ１として、図５に示した数字群記憶部２１に記憶する。
【００５０】
上記処理を、Ｘ２列〜Ｘ５列の各数字に対しても実行し、各列から、無作為に選択して得たそれぞれ６種類の数字からなる当選数字列Ｖ１〜Ｖ５で構成される当選数字群Ｖを得る。この当選数字群Ｖは、各列６種類×５列分＝３０種類の数字で構成される。また同時に、当選選数字列以外の数字で構成される、それぞれ９種類の非当選数字列Ｗ１〜Ｗ５からなる非当選数字群Ｗを得る。非当選数字群Ｗは、前記当選数字群Ｖの３０種類の数字を除く、各列９種類×５列分＝４５種類の数字で構成される。
【００５１】
（発表用当選数字群）
次に、数字群生成部２０で得られた当選数字群Ｖを、複数組に分割して、発表用の当選数字群情報を得る第２の機能について説明する。本実施形態では、図８に例示するように、当選数字群Ｖを３組の発表用当選数字群Ｖａ、Ｖｂ、Ｖｃに分割する。図８の例では、図７に示した数字群生成部２０で得られた当選数字群Ｖの数字列Ｖ１〜Ｖ５から、それぞれ２種類づつ順番に取り出し、各列２種類×５列分＝１０種類の数字で構成した３組の発表用当選数字群を得、それぞれ、最初の発表用当選数字群Ｖａ、中間の発表用当選数字群Ｖｂ、最後の発表用当選数字群Ｖｃとする。
【００５２】
なお、当選数字群Ｖを３組に分割する他の方法としては、数字群生成部２０で得られた当選数字群Ｖの数字列Ｖ１〜Ｖ５から、各列ごとに無作為に２種類づつ取り出し、分割した発表用当選数字群Ｖａ、Ｖｂ、Ｖｃを得てもよい。その場合、最初に発表する当選数字群Ｖａの数字組合せは（ 6Ｃ2 ）5 ＝１５5 ＝７５９，３７５通りあり、その中の１通りを無作為に抽出し、最初の発表用当選数字群Ｖａとする。また、中間で発表する当選数字群Ｖｂの数字組合わせは（ 4Ｃ2 ）5 ＝６5 ＝７，７７６通りあり、その中の１通りを無作為に選択し、中間の発表用当選数字群Ｖｂとする。なお、最後に発表する当選数字群Ｖｃの数字組合わせは１通りのみとなる。すなわち、発表用当選数字群の組合せは、１５5 ×６5 ≒５．９×１０9 通りあり、その中の１通りを無作為に選択して、３組の発表用当選数字群Ｖａ、Ｖｂ、Ｖｃを得ることになる。この３組の発表用当選数字群Ｖａ、Ｖｂ、Ｖｃは、それぞれ、図５に示す数字群記憶部２１と、発表用当選数字群記憶部２２とに記憶される。
【００５３】
（当選判別数字）
さらに、本発明では、くじの当落を一見して判別できるように、秘密の当選判別数字Ｕを設定する。この当選判別数字Ｕは、基本的には、当選数字群Ｖの中から任意に選択することができる。なお、本実施形態では、図８に示す最後の発表用当選数字群Ｖｃの、各列から、それぞれ１種類づつ選択したＵ１〜Ｕ５の数字を、秘密の当選判別数字Ｕの候補数字として設定している。この候補数字Ｕ１〜Ｕ５については、後述の当選制御セルとの関連において詳述する。これらの当選判別数字Ｕ（Ｕ１〜Ｕ５）は、図５に示す数字群記憶部２１に記憶する。
【００５４】
当選判別数字Ｕは、例えば、最後の発表用当選数字群Ｖｃ（の１０種類の数字）の中から一つの数字を選択する。この当選判別数字Ｕは、当選くじにのみ用いられる秘密数字とされる。この当選判別数字Ｕは、後述する当選制御セルの一つに配列する数字であり、当選制御セルの一つを当選判別セルとして設定し、当選くじについてのみ、その当選判別セルに当選判別数字Ｕを配列する。したがってこの当選判別数字Ｕは、非当選（落選）くじには配列しない数字である。
【００５５】
（当選数字群の出力処理）
当選数字群の出力処理は、発表用当選数字群Ｖａ、Ｖｂ、Ｖｃの各１０種類の数字を、それぞれ無作為に配列し、発表用の当選数字群を生成する工程であり、図６に示すメインメニューの「当選数字群出力」処理を選択することによって、当選数字群出力部２３にて実行される処理である。
【００５６】
この出力処理は、発表用当選数字群記憶部２２に記憶されている発表用当選数字群Ｖａ、Ｖｂ、Ｖｃを、それぞれ読み出して、無作為に配列した発表用の当選数字群情報を得るためになされる。発表用の当選数字群情報は、例えば、図９に示されるように、発表用当選数字群Ｖａ、Ｖｂ、Ｖｃの各数字が無作為に配列される。この配列処理は、発表用当選数字群ごとに行われ、例えば、前述した、図７に示した数字群生成処理における、当選数字群Ｖの生成処理と類似の手段および方法を用いて実行することができる。
【００５７】
具体的には、３組に分割した発表用当選数字群を、先ず、置数制御部４１によって、レジスタＲ１０（１０個の置数レジスタを有する）に、例えば、数字群Ｖａの数字を１０個配列する。次に、置換制御部４２が、乱数発生器４３を用いて１〜１０の範囲から乱数Ｍ１を生成させ、得られた乱数Ｍ１を用いて、レジスタＲ１０の１番目の数字とＭ１番目の数字を置換する。次いで、置換制御部４２が、乱数発生器４３を用いて２〜１０の範囲から乱数Ｍ２を生成させ、得られた乱数Ｍ２を用いて、レジスタＲ１０の２番目の数字とＭ２番目の数字を置換する。
【００５８】
同様に、置換制御部４３は、乱数発生器４３を用いて、順次、乱数Ｍ３〜Ｍ９を発生させ、その都度、レジスタＲ１０の３〜９番目の数字と、Ｍ３〜Ｍ９番目の数字を置換する。その結果、レジスタＲ１０の数字は無作為に配列される。これを、例えば、図９に示されているような様式に配列し、図３に示した当選数字群情報記録媒体１６に記録する。前記処理を、数字群Ｖｂ、Ｖｃの各数字群に対しても実行し、それぞれ無作為に配列して得た数字列を、図９に示すような様式で、当選数字群情報記録媒体１６に記録し、印刷用製版情報とする。
【００５９】
なお、本実施形態では、数字群生成部２０にて、無作為に当選数字群Ｖを抽出した後、当選数字群出力部２３にて、発表用当選数字群Ｖａ、Ｖｂ、Ｖｃの数字を再度無作為に配列処理しているが、当選数字群出力部２３における無作為の配列配列は、必須の処理ではなく、いわゆるビンゴゲームにおける当選数字の抽出方法に似せるために実行する処理である。すなわち前者の抽出処理では、マトリックスのＸ列ごとに当選数字を抽出したので、当選数字群の配列に規則性が生じており、後者の配列処理にて前記規則性を解消することを目的としたものである。
【００６０】
（製版出力処理）
当選数字群出力部２３において、当選数字群情報記録媒体１６に記録した複数組の発表用当選数字群情報は、図３に示す製版出力制御装置１７に入力し、製版出力機１８を介して、製版材１９に所定のレイアウトで露光描画する。その際、複数組に分割した発表用当選数字群は、それぞれ、発表順序を示す識別符号、例えば、発表番号を付して製版材１９に画像形成し、製版作業の貼り込みや、刷版作業、印刷作業の管理を容易ならしめる。
【００６１】
（当選数字群の印刷）
なお、製版材１９に画像形成した複数組の発表用当選数字群Ｖａ、Ｖｂ、Ｖｃは、一括して印刷するのではなく、所定の発表スケジュールに合わせて、複数回に分けて、それぞれ個別に印刷のうえ配付する。
【００６２】
（くじ情報生成処理）
次に、くじ情報生成装置１１の第３、および第４の機能について説明する。第３の機能は、上述した数字群生成部２０で生成した当選数字群Ｖと、当選数字群Ｖの数字を除いた非当選数字群Ｗとを、くじのマトリックスに可能な限り無作為に配列して、所定数量の当選くじ用数字群情報を含む、発行くじ総量分の数字群情報を生成する機能である。第４の機能は、生成したくじ用数字群情報を、くじ制作番号とともに、くじ情報記録媒体１２に記録し、くじ制作用印刷情報を得る機能である。
【００６３】
上記第３の機能であるくじ情報生成処理のフローを図１０に示す。また、くじ情報生成処理におけるメニュー画面例を図１１に示す。なお、くじ情報生成処理は、図６に示したメインメニューの「くじ情報生成」ボタンを選択することによって起動し、図５に示すくじ情報生成装置１１のくじ情報生成部３０、および制御情報設定部２４、くじ数量設定部２５、くじ情報記憶部３７にて実行する処理である。
【００６４】
（制御情報の設定処理）
本実施形態では、５×５の数字マトリックスで構成されるくじの数字群情報を生成する場合について説明する。先ず、ステップＳ１において、くじの数字群情報の生成に必要な制御情報を設定する。この処理は、図５に示した、くじ情報生成装置の制御情報設定部２４にて実行する処理である。
【００６５】
ステップＳ１の制御情報設定処理においては、先ず、くじの当選、非当選（落選）を制御するための当選制御セルＭのマトリックス座標を設定する。例えば、５×５のマトリックスで構成されるくじの場合、すべての当選列（図２に示したＡ〜Ｌの１２列）を網羅する５箇所に、当選制御セルＭを設定する。
【００６６】
この当選制御セルＭの一例を図１２に示す。図において、マトリックスのＸＹ座標（１，１）、（２，４）、（３，２）、（４，５）、（５，３）に設けたＭ１〜Ｍ５のセルが当選制御セルである。この５個の当選制御セルＭ１〜Ｍ５に、前述した当選数字群Ｖ以外の数字、すなわち非当選数字群Ｗの数字を配列すると、他のセルすべてが当選数字であったとしても、当選数字は、たて、よこ、斜め、いずれも４個しか並ばず、そのくじは落選になる。
【００６７】
この当選制御セル標情報は、図１１に示すくじ情報生成メニュー５０の、制御情報入力部５１にて、Ｍ１〜Ｍ５のそれぞれのＸＹ座標を入力することによって設定する。なお、当選列を網羅する当選制御セルＭ（Ｍ１〜Ｍ５）の配列組合せは多数あり、制御情報の設定処理において適宜選択すればよい。
【００６８】
ステップＳ１の制御情報設定処理では、上記当選制御セルＭの設定とともに、当選判別セルＴ、および当選判別数字Ｕを設定する。当選判別セルＴと当選判別数字Ｕは、当選くじにのみ用いられる情報であり、例えば、図１２に示すように、上記当選制御セルＭ１〜Ｍ５の中の一つ、Ｍ１を当選判別セルＴとして設定する。併せて、図８に示した最後の発表用当選数字群Ｖｃの中の候補数字Ｕ１〜Ｕ５の中から、当選判別セルＴを含むたて列に配列する当選数字、すなわち、図８の例では「１４」を、当選判別数字Ｕとして設定する。
【００６９】
この当選判別セル情報、および当選判別数字情報は、図１１に示すくじ情報生成メニュー５０の制御情報入力部５１にて、当選判別セルＴ、当選判別数字Ｕの入力欄に値を入力することによって設定される。なお、当選判別セルＴ、および当選判別数字Ｕの選択は、上記例に限定されるものではなく、くじ発行者が適宜選択すればよい。
【００７０】
ステップＳ１の制御情報設定処理では、さらに、くじのマトリックス様式の一つであるＦＲＥＥセルの有無を、必要に応じて設定してもよい。このＦＲＥＥセルは、ＦＲＥＥセルを含む、たて、よこ、または斜めの列に当選数字が４個並んだ場合、そのくじを当選くじとすることができる。なお、本発明のくじでは、ＦＲＥＥセルを設けることによって、実質的な当選確率がアップすることはなく、単にゲーム性を高めるために配列するもので、例えば、図１２に示すように、くじのマトリックスの中央に設けることができる。もちろん、他の位置に設けたり、複数個設けてもよい。
【００７１】
（くじ数量の設定処理）
上記制御情報の設定が完了したら、次に、ステップＳ２に示すくじ数量の設定処理を実行する。この処理は、図５に示したくじ情報生成装置の、くじ数量設定部２５にて実行する処理である。くじ数量の設定処理では、発行くじの総量Ｚ、および当選くじの数量Ｐを設定する。これらの数量は、図１１に示すくじ情報生成メニューの制御情報入力部５１にて、それぞれ入力し設定する。なお、本実施形態では、入力したくじ数量に基づいて、当選倍率Ｑ＝発行くじ総量Ｚ／当選くじ数量Ｐを算出し、以降のくじ情報生成処理におけるくじ種判別式のパラメータ値として記憶しておく。
【００７２】
（くじ用数字群情報の計数処理）
上記制御情報、およびくじ数量の設定を完了したら、図１１に示すくじ情報生成メニューにある、くじ情報計数表示部５２の「開始」ボタンを操作し、くじ用数字群の生成処理を開始する。なお、くじ用数字群の生成処理は、これ以降、所定の発行くじ総量に達するまで、人手を介することなく、くじ情報生成装置にて自動的に実行される。そこで、図１１に示すくじ情報生成処理メニュー画面において、生成したくじ情報の制作数量をくじ制作番号とともに、モニター領域５２に表示することで、くじ情報の生成処理状況を把握できるようにしてある。
【００７３】
くじ用数字群の生成処理では、先ず、ステップＳ３において、生成するくじ情報を計数する。この処理は、図５に示したくじ情報生成装置のくじ情報生成部３０を構成するくじ情報計数部３１によって実行する処理である。くじ情報の計数は、生成するくじ用数字群の制作番号Ｎ＝Ｎ＋１式によって、生成するくじ用数字群情報を計数する。このくじ制作番号Ｎは、以降のくじ情報生成処理における、くじ種判別式のパラメータ値として用いるとともに、個々のくじの管理番号として使用する。
【００７４】
（くじ用数字群の生成処理）
本くじ情報生成装置では、先ず、当選数字群Ｖの数字を除いた、非当選数字群Ｗの数字を無作為にくじのマトリックスに配列して、非当選くじ用数字群情報を生成する。本実施形態では、この非当選くじ用数字群情報を用いて、くじを実際に制作するのではなく、前述した当選制御セルＭを除いたセルに、あらためて当選数字群Ｖの数字を可能な限り無作為に配列して、次選くじ用数字群情報を生成し、この次選くじ用数字群情報を用いて制作したくじを、非当選（落選）くじとする。
【００７５】
さらに、前記次選くじ用数字群情報のうち、くじ数量で設定した当選倍率Ｑに対応するくじ情報を、非当選くじから当選くじへ変更する処理を施す。当選くじへの変更処理は、前述した当選制御セルＭに、当選数字群Ｖの数字を配列することによってなされる。また、そのくじが、当選くじであることを容易に判別できるように、当選判別数字Ｕを所定のマトリックス座標に配列し、当選くじ用数字群情報を得、この当選くじ用数字群情報を用いて制作したくじが、当選くじになる。以下、くじ用数字群の生成処理について、順を追って説明する。
【００７６】
（非当選くじ用数字群の生成処理）
先ず、ステップＳ４の非当選くじ用数字群の生成処理について説明する。この処理は、図５に示したくじ情報生成装置の、くじ情報生成部３０を構成する非当選くじ情報生成部３３において実行する処理である。
【００７７】
非当選くじ用数字群の生成処理は、図７に示した数字群生成部において生成した当選数字群Ｖの数字を除いた数字で構成される、非当選数字群Ｗの数字を用いて数字マトリックスを生成する処理である。具体的には、各列９種類の非当選数字列Ｗ１〜Ｗ５の中から、それぞれ５種類の数字を無作為に抽出し、マトリックスの各たて列に、抽出した数字をそれぞれ無作為に配列する。このとき生成される数字マトリックスの組合せは、（ 9Ｐ5 ）5 ＝１５，１２０5 ≒７．９×１０20通りあり、その中の１通りを選択して、５×５の数字マトリックスを生成する。
【００７８】
上記非当選くじ用数字群の生成処理は、図７に示した当選数字群Ｖの生成処理と同様な手法で実行することができる。先ず、置数制御部４１によって、レジスタＲ９（９個の置数レジスタを有する）に、例えば、Ｗ１列の非当選数字９種類を配列する。次に、置換制御部４２が、乱数発生器４３を用いて１〜９の範囲から乱数Ｍ１を生成させ、得られた乱数Ｍ１を用いて、レジスタＲ９の１番目の数字とＭ１番目の数字を置換する。次いで、置換制御部４２が、乱数発生器４３を用いて２〜９の範囲から乱数Ｍ２を生成させ、得られた乱数Ｍ２を用いて、レジスタＲ９の２番目の数字とＭ２番目の数字を置換する。
【００７９】
同様に、置換制御部４３は、乱数発生器４３を用いて、順次、乱数Ｍ３〜Ｍ５を発生させ、その都度、レジスタＲ９の３〜５番目の数字と、Ｍ３〜Ｍ５番目の数字を置換する。その結果、レジスタＲ９の１番目のレジスタから５番目のレジスタに配列した非当選数字は、無作為に抽出し、無作為に配列したものとなる。前記処理を、Ｗ２〜Ｗ５の各非当選数字列に対しても実行し、図１３に示すように、各列５種類の非当選数字Ｗ１〜Ｗ５で構成される非当選くじ用の数字マトリックスが生成される。
【００８０】
なお、この非当選くじ用数字マトリックスは、そのままくじ用数字群情報として用いることはなく、つぎに説明する次選くじ用数字群および当選くじ用数字群のベース情報として用いる。なぜなら、非当選くじ用数字マトリックスに配列した数字は、当選数字群Ｖの数字と符合する数字が一つもないので、くじに対する当選期待感が生ぜず、ひいてはくじ付商品に対する購買意欲を失わせることになるからである。なお、図１３の例では、５×５のマトリックス中央にＦＲＥＥセルを配置しており、このＦＲＥＥセルにも非当選数字が配列されるが、その数字は、くじ用数字群情報の生成を終了した段階で、除去すればよい。
【００８１】
（次選くじ）
次に前記非当選くじ用数字マトリックスを用いて、次選くじ用数字マトリックスを生成する。なお、ここで言う次選くじとは、実質的には非当選（落選）くじであって、数字マトリックスにおいて、当選数字群Ｖの数字と符合する数字が４個、ＦＲＥＥセルを含む場合は３個が、たて、よこ、または斜めに一列に並ぶが、前述した当選制御セルＭ１〜Ｍ５に非当選数字Ｗが配列されているため、当選にならないくじを指す。
【００８２】
（当選制御列の選択処理）
上記次選くじ用数字マトリックスを生成するときは、前もって、ステップＳ５において、当選制御列を無作為に選択する。この処理は、図５に示したくじ情報生成装置の、くじ情報生成部３０を構成する当選制御列選択部３４において実行する処理である。すなわち、前記、図２に示したように、５×５のマトリックスによるくじでは、たて列Ａ〜Ｅの５通り、よこ列Ｆ〜Ｊの５通り、斜め列Ｋ〜Ｌの２通り、計１２通りの当選列があり、この中から無作為に、例えば、２列を選択し、この選択した当選列を、本発明では当選制御列と呼ぶ。
【００８３】
なお、１２通りの当選列の内の２列を選択する場合、当選制御列の組合せは、全部で６６通りになる。すなわち、「たて＋たて」が１０通り、「たて＋よこ」が２５通り、「たて＋斜め」が１０通り、「よこ＋よこ」が１０通り、「よこ＋斜め」が１０通り、「斜め＋斜め」が１通りである。この内の１通りを無作為に選択し、当該くじの当選制御列とする。
【００８４】
当選制御列の選択においては、若干工夫を要する。すなわち、本実施形態のくじは、１〜７５の数字を用いて、それを、１〜１５、１６〜３０、３１〜４５、４６〜６０、６０〜７５の数字群に分割し、その各数字群の数字のなかから各５種類の数字を無作為に抽出して、マトリックスのたて列にそれぞれ無作為に配列し、くじの数字マトリックスを構成する。一方、マトリックスの数字と符合する当選数字を、１〜７５の数字のなかから無作為に抽出すると、たての当選列とよこの当選列、および斜めの当選列の出現比は１：５：２になる。
【００８５】
そこで、本実施形態では、この出現比を再現するために、図１４に示すような構成の当選制御列選択部を用いる。先ず、符合配列部６１によって、当選列を示す符合Ａ〜Ｌを、たて：よこ：斜めの出現比が１：５：２になるように重複して、レジスタＲ３４（３４個の置数レジスタを有する）に配列する。
【００８６】
次に、当選制御列抽出部６２が、乱数発生器６３を用いて１〜３４の範囲から乱数Ｍ１を生成させ、得られた乱数Ｍ１を用いて、Ｍ１番目のレジスタの符合で示される当選列を抽出し、第１の当選制御列とする。次いで、符合配列部６１によってＭ１番目のレジスタと同一の符合のレジスタをすべて削除し、残されたレジスタの個数に基づいて、当選制御列抽出部６２が、乱数発生器６３を用いて乱数Ｍ２を生成させ、得られた乱数Ｍ２を用いて、Ｍ２番目のレジスタの符合で示される当選列を抽出し、第２の当選制御列とする。
【００８７】
もし、選択する当選列を３列にする場合は、さらに、符合配列部６１によってＭ２番目のレジスタと同一の符合のレジスタをすべて削除し、残されたレジスタの個数に基づいて、当選制御列抽出部６２が、乱数発生器６３を用いて、乱数Ｍ３を生成させ、得られた乱数Ｍ３を用いて、Ｍ３番目のレジスタの符合で示される当選列を抽出し、第３の当選制御列とする。前記手順によって、当選制御列を無作為に選択したときの一例を図１５に示す。図の例では、当選制御列として、たて列Ｄとよこ列Ｇの２列を選択したことを示している。
【００８８】
（次選くじ用数字群の生成処理）
次いで、ステップＳ６の次選くじ用数字群の生成処理に進む。この処理は、図５に示したくじ情報生成装置における、くじ情報生成部３０を構成する次選くじ情報生成部３５において実行する処理である。次選くじ用数字群の生成処理では、図１６に示すように、当選制御列に含まれる当選制御セル（例えば、当選制御列が２列の場合、その当選制御列に含まれる当選制御セルは、１箇所または２箇所ある）を除くセルに、当選数字群Ｖ（当選数字列Ｖ１〜Ｖ５）の数字を配列する。
【００８９】
すなわち、前記ステップＳ４にて、非当選数字列Ｗ１〜Ｗ５の数字を無作為に配列した非当選くじ用数字マトリックスにおいて、図１５に例示した当選制御列に含まれるセルのみ、数字列Ｖ１〜Ｖ５の当選数字と置換する。但し、当選制御セルＭ１〜Ｍ５に配列されている非当選数数字はそのまま残しておく。このようにして生成した次選くじ用数字マトリックスの例を図１６に示す。図においてＶ１〜Ｖ５で示すセルが当選数字に置換したセルである。
【００９０】
なお、本発明では、当選制御列に含まれるセルの数字を、非当選数字から当選数字に置換する際、以下の条件を満たすように当選数字を配列する。その第１の条件は、最初の発表用当選数字群Ｖａと符合する数字が、くじの数字マトリックスにおいて、１個以上あること。第２の条件は、最初の発表用当選数字群Ｖａおよび／または中間の発表用当選数字群Ｖｂによって、次選になる列が、１列以上発生すること。第３の条件は、最後の発表用当選数字群Ｖｃによって、くじの当落が確定することである。これらの条件を設けることにより、くじに対する当選期待感が増し、ひいてはくじ付商品に対する購買意欲を高めることになる。
【００９１】
そこで、ステップＳ６における次選くじ用数字群の生成処理では、先に設定した最初の発表用当選数字群Ｖａ、および中間の発表用当選数字群Ｖｂを用いて、上記条件を満たすように、それぞれ当選数字を配列する。なお、本実施形態では、最後の発表用当選数字群Ｖｃは、当選くじの数字マトリックスを生成するときにのみ使用する。
【００９２】
次選くじ用数字群の生成処理において、先ず、第１の条件を満たすため、当選制御列が、よこ列または斜め列のときは、最初の発表用当選数字群ＶａにおけるＶ１〜Ｖ５の当選数字列のうち、当選制御セルの含まれる列を除く（もし、ＦＲＥＥセルが含まれる場合は、Ｖ３の当選数字列も除く）、各当選数字列Ｖ１〜Ｖ５の２種類の当選数字の中から、それぞれ１種類づつ無作為に当選数字を抽出し、当該列のセルに配列する。なお、２列の当選制御列が、いずれもよこ列または斜め列の場合は、抽出した当選数字は、いずれか一方の当選制御列のセルに無作為に配列する。この当選数字配列によれば、数字マトリックスにおいて、最初の発表用当選数字群Ｖａの数字と符合する当選数字が、少なくとも４個以上発生することになる。
【００９３】
一方、当選制御列が、たて列の場合は、最初の発表用当選数字群Ｖａにおける当該列の２種類の当選数字を、当選制御列の当選制御セルを除く、４箇所（当選制御列がＦＲＥＥセルを含む列の場合は３箇所）のセルの内の、２箇所に無作為に配列する。この当選数字配列により、最初の発表用当選数字群Ｖａの数字と符合する当選数字が、数字マトリックスにおいて、少なくとも２個以上発生することになる。
【００９４】
次に、第２の条件を満たすように、最初の発表用当選数字群Ｖａと同様に、中間の発表用当選数字群Ｖｂの数字を、無作為に選択し（たて列の場合は、当該列の２個の当選数字を）、当選制御列の残りのセル、但し、当選制御セルを除くセルにそれぞれ配列する。この数字配列によれば、最初の発表用当選数字群Ｖａの当選数字、および／または中間の発表用当選数字群Ｖｂの当選数字が組み合わされて、当選制御列の当選制御セルを除くすべてのセルが当選数字に置換され、あと一つで５個当選数字が並ぶ、次選くじ用数字群が得られる。
【００９５】
（くじ種の判別処理）
次選くじ用数字群が得られたら、次いで、ステップＳ７のくじ種判別処理に進む。この処理は、図５に示したくじ情報生成装置における、くじ情報生成部３０を構成するくじ種判別部３２にて実行する処理である。
【００９６】
くじ種判別処理では、先ず、前記ステップＳ３で得られたくじ制作番号Ｎに対し、例えば、ＭＯＤ（Ｎ，Ｑ）式によって、当選倍率Ｑ（＝発行くじ総量Ｚ／当選くじ数量Ｐ）を除数とする除算を行い、その剰余を求める。次いで、剰余≠０のとき、ステップＳ９に示すくじ用数字群情報の記憶処理に進み、前記ステップＳ６で得られた次選くじ用数字群を、そのまは非当選（落選）くじ用のくじ情報として、くじ制作番号Ｎとともに、くじ情報記憶部３７に記録する。一方、剰余＝０のときは、以下に述べるステップＳ８の当選くじ用数字群の生成処理に進む。なお、くじ種判別処理は、当選くじを一定数量ごとに発生させる上記方式に限定されるものではなく、例えば、乱数を利用して、当選くじをランダムに発生させる方式を用いてもよい。
【００９７】
（当選くじ用数字群の生成処理）
ステップＳ８の当選くじ用数字群の生成処理では、前記ステップＳ６において得られた次選くじ用数字マトリックスを用いる。この処理は、図５に示したくじ情報生成装置における、くじ情報生成部３０を構成する当選くじ情報生成部３６にて実行する処理である。
【００９８】
具体的には、前記当選制御列に含まれる当選制御セルＭ（Ｍ１〜Ｍ５のいずれか）に、最後の発表用当選数字群Ｖｃの当選数字を配列することによって、当選くじ用数字マトリックスを生成する。すなわち、２つの当選制御列のいずれかを無作為に選択し、その列に含まれる当選制御セルに、最後の発表用当選数字群Ｖｃにおける当該たて列の２種類の当選数字から、無作為に抽出した１個の当選数字を配列する。この処理を施した数字マトリックスが当選くじとなり、前記第３の条件を満たすことになる。
【００９９】
さらに、本発明のくじでは、当該当選くじの識別を容易にするため、あらかじめ定めた数字マトリックスの所定座標、例として、当選制御セルＭの一つでもある当選制御セルＭ１、すなわち当選判別セルＴに、当該セルを含むたて列に配列される候補数字Ｕ１、すなわち、図８に示した例では「１４」を、当選判別数字Ｕとして配列し、当選くじ用数字群を完成する。したがって、この当選くじ用数字群情報を用いて印刷したくじは、所定のマトリックス座標に表示されている数字が、当選判別数字Ｕであることとから、当選くじであることを容易に判別することができる。
【０１００】
以上のステップにより生成したくじ用数字群情報は、その都度、くじ情報生成装置に備えたくじ情報記憶部３７に、くじ制作番号Ｎとともに、ステップＳ９において記憶する。そして、最初に設定した発行くじ総量Ｚに、くじ制作番号Ｎが達するまで上記処理を繰り返すことにより、全発行くじ総量Ｚ分のくじ用数字群情報が生成され、くじ情報記憶部３７に格納される。生成したくじ用数字群情報は、次選（非当選）くじ用数字群と、当選くじ用数字群と、が所定の比率で混在し、所定数量の当選くじ用数字群が、全くじ情報中に均一に分散している。
【０１０１】
（くじ情報の出力処理）
次いで、くじ情報の出力処理を実行する。この処理は、図６に示したメインメメニューの「くじ情報出力」を選択することにより、図５に示したくじ情報生成装置のくじ情報出力部３８にて実行する処理である。くじ情報出力処理は、上記くじ情報生成処理により得られた、くじのマトリックスに配列する数字群情報を、くじ情報生成装置のくじ情報記憶部３７から、くじ制作番号Ｎとともに読み出し、それらの情報を半永久的かつ高い信頼性をもって保存できるように、例えば、追記型光ディスクなどのくじ情報記録媒体１２に書き込み、くじのマスターデータファイルを作成する。
【０１０２】
（くじの製造）
次に、上記くじ情報記録媒体１２に記録したくじ情報を用いて、くじを製造する方法、および装置について説明する。くじの製造は、図３に示したように、くじ情報記録媒体１２を用いて、あるいはくじ情報記録媒体１２のくじ情報を、一旦、他の情報記録媒体、例えば、磁気テープや光磁気ディスクなどに複製し、それを、印刷出力制御装置１３に装着して行う。この印刷出力制御装置１３は、くじ情報記録媒体１２のくじ情報を、くじ制作番号順に読み出し、くじ用数字群およびくじ制作番号の印刷レイアウトや文字サイズを、印刷用に整えてくじ印刷情報を生成した後、そのくじ印刷情報を、くじ制作番号順に順次、可変情報印刷装置１４へ伝送する。
【０１０３】
可変情報印刷装置１４は、伝送されたくじ印刷情報に基づいて、くじ用紙１５に、くじの数字マトリックスと当該くじのくじ制作番号とを、順次印刷する。図の例では、くじ用紙１５は巻取状の連続用紙で構成され、可変情報印刷装置１４にて、数字マトリックスとくじ制作番号を印刷した後、所定の寸法に切断して単葉のくじにする。なお、数字マトリックスとともにくじ用紙に印刷するくじ制作番号は、所定数量のくじが過不足無く、すなわち、特定のくじが欠落したり、同一のくじを重複して印刷しないように、くじの製造管理に利用する。
【０１０４】
（くじの実施例）
図１９に、完成したくじの一例を示す。このくじ７０は、切り取り線７４の左側を郵便はがきの大きさとし、切り取り線７４に沿って綴じ込み片７５から切り離したとき、郵便はがきになるように構成する。くじ７０は、図に示すように、くじの主体であるマトリックス７１をほぼ正方形の格子状に形成し、くじに用いる数字を５行５列に配列して印刷する。この数字は、前述したように、可変情報印刷装置にて印刷して設ける。また、マトリックス７１の中央には、「ＦＲＥＥ」の文字を、当選数字に代わる符号として印刷する。この符号は、文字ではなく絵や記号でもよい。
【０１０５】
マトリックス７１の周囲には、くじの名称やくじの使用方法を印刷し、また、くじ所有者の住所、氏名などを記入するための、所有者記入欄７３を印刷して設ける。さらに、くじ７０の他方の面には、図示していないが、くじ主催者の住所、名称を、郵便はがきの宛て先として印刷する。
【０１０６】
一方、切り取り線７３の右側には、例えば、新聞や週刊誌、月刊誌や季刊誌などの定期刊行物に貼着するための綴じ込み片７５を設け、この綴じ込み片７５の部分に、くじ制作番号７２を印刷する。くじ制作番号７２は、前述したように、可変情報印刷装置にて印刷して設ける。なお、くじ制作番号７２を印刷した綴じ込み片７４は、くじを切り離して、郵便はがきとして発送した際の、くじ所有者控え片として利用することもできる。すなわち、くじ制作番号７２を用いて、くじ情報を記録したくじ情報記録媒体を検索することによって、当該制作番号に対応するくじの数字マトリックスを特定することができ、それによって当該制作番号のくじの当落を検証することができる。
【０１０７】
（くじの使用例）
次に、上記くじの使用例について説明する。本発明のくじは、例えば、書籍の愛読者に対する懸賞サービスに用いることができる。図２０は、本発明のくじを綴じ込んだ書籍の一例である。図において、８０は、週刊誌、月刊誌、または季刊誌など、定期的に発行される刊行物である。これらの定期刊行物において、創刊××周年記念、あるいは発刊××号記念などの記念企画として、本発明のくじを用いた懸賞サービスを行うことができる。
【０１０８】
図２０の例は、週刊誌における実施例を示しており、最初の当選数字群８１を印刷した書籍の見返し部に、綴じ込み片７５を利用して、糊付けなどにより懸賞に用いるくじ７０を綴じ込む。このとき、最初の当選数字群８１と、くじ７０の数字マトリックスとが、見開き状態になるように綴じ込むのが望ましい。なお、最初の当選数字群８１は、懸賞要項とともに書籍の見返し部に印刷し、また、図に示していないが、書籍の表紙には、懸賞くじ付であることを告知するキャッチコピーを印刷しておくとなおよい。このくじ付刊行物は、無作為（故意に無作為とする必要はないが）に書店などに配本される。
【０１０９】
一般に、購読者は、店頭に陳列された上記書籍を購入する際、その見返し部に綴じ込まれたくじ７０の数字マトリックスと、最初の当選数字群８１とを照合し、もし、符合する数字が一つもない、あるいは符合する数字が少ないとその書籍を敬遠し、逆に、符合する数字が多い、あるいは、符合する数字が４個並んでいると、当該書籍を継続して購入する傾向が強い。そこで、前述したくじの製造方法によれば、すべてのくじにおいて、最初に発表する当選数字群の数字と符合する数字を、１個以上マトリックスに配列するので、購読者の購入意欲を損なうことはなく、さらに、次回発表する当選数字群に対する期待を高めることができる。
【０１１０】
さらに、図２０に示したくじの使用例では、当選数字を３回発表して、当選くじを確定するように構成しているが、前述したように、最初に発表する当選数字群、および／または中間で発表する当選数字群によって、すべてのくじが、必ず次選くじになるように、くじの数字マトリックスを構成するので、くじ付刊行物に続いて、継続して書籍を購入する可能性が高くなり、読者数の拡大および固定化につながる。
【０１１１】
なお、くじ付を含めて３回継続して書籍を購入した読者は、１回目〜３回目に発表された当選数字群と、くじの数字マトリックスとを照合し、もし、自分が所有しているくじが当選した場合、図１９に示したくじの記入欄７３に、自分の住所、氏名などを記入のうえ、刊行物から切り離してくじの主催者へ郵送する。
【０１１２】
くじ主催者は、郵便はがきとして郵送されてきたくじのマトリックスに印刷されている数字を、発表した当選数字と一々照合することなく、所定のマトリックス座標に印刷されている数字が、当選判別数字Ｕか否かを調べるだけで、そのくじが当選くじであるかどうかを判別する。そして、当選くじであればくじに記入されているくじ所有者あてに所定の景品を発送する。
【０１１３】
なお、郵送されてきたくじが、万一、非当選くじであった場合は、くじ所有者に、その旨連絡するとともに、くじ所有者の書籍に残されている綴じ込み片７５のくじ制作番号７２を確認のうえ、くじ主催者が保管しているくじ情報記録媒体のくじ情報を読み出し、郵送されてきたくじの数字マトリックスと再照合することによって、正当な当選くじか否かを検証することができる。
【０１１４】
【他の実施形態】
次に、他の実施形態について説明する。すなわち、上記実施形態におけるくじ情報生成処理のくじ種判別では、当選くじを一定数量ごとに発生させたが、このような方法を採ると、当選くじの存在に規則性が生じるので、くじの偶然性が損なわれる。そこで、くじ種判別処理において、ランダムに当選くじを発生させる方法を採るのが望ましい。その方法としては、例えば、乱数発生器により一様乱数を発生させ、その乱数値が所定の当選倍率（発行くじ総量Ｚ／当選くじ数量Ｐ）を満たすか否かにより、当選くじとするか、次選くじ（非当選くじ）とするかを判別する方法がある。
【０１１５】
具体的には、図１０のステップＳ７において、先ず、くじ制作番号Ｎを核として、１未満の小数による乱数値を生成する。次いで、あらかじめ設定した当選確率（当選くじ数量Ｐ／発行くじ総量Ｚ）と得られた乱数値とを比較し、例えば、当選確率が０．０１の場合、乱数値が０．０１未満（もしくは０．９９以上）のとき当選くじとする、などの方法でくじ種を判別する。この場合、当選くじは、平均して１００枚に１枚の割合で、ほぼ均一かつランダムに発行くじ総量中に分散する。もちろん、他の方法で、当選くじをランダムに生成することも容易であり、要は、当選くじの存在に規則性がなくなれば、くじの偶然生を損なうことはない。
【０１１６】
なお、このような方法を採った場合、生成される当選くじ数字群の数量は、あらかじめ設定した当選くじ数量Ｐとは異なった、予測できない数量になる。つまり、あらかじめ設定した当選くじ数量Ｐよりも、多い場合もあれば、少ない場合もあり得る。言い換えると、先に設定する当選くじ数量Ｐは、当選期待数といえる。そこで、実際のくじ製造においては、くじ当選者の懸賞応募率をも加味し、当選くじ数量Ｐを多めに設定しておけばよい。この場合、実際の懸賞応募者数が、予定の応募率を超える可能性があるので、あらかじめ懸賞の応募規定に、例えば「当選者は先着×××名様」、または「応募者の中から抽選で×××名様」などの断りを盛り込んでおくのがよい。
【０１１７】
また、前記実施形態では、くじ情報生成装置にて生成したくじ情報を、くじ情報記録媒体を介して、製版出力制御装置や印刷出力制御装置に入力する構成としたが、これらの装置をネットワーク通信線を介して接続し、くじ情報を通信によって伝送するように構成してもよい。
【０１１８】
さらに、前記実施形態では、１回に発表する当選数字の種類を１０種類とし、３回合計３０種類の当選数字を発表して、くじの当落を確定したが、それに限定するものではなく、例えば、１回に発表する当選数字の種類を減らしたり、あるいは増やすことも容易であり、また発表回数を減らしたり、あるいは増やすことも容易である。
【０１１９】
さらにまた、前記実施形態では、５×５の数字マトリックスのくじについて、説明したが、これに限定されるのではなく、他のマトリックス形態のくじについても、本発明の主旨を損なうことなく展開可能である。また、本発明では、数字を用いてくじのマトリックスを形成したが、文字を用いたり、絵や記号を用いてくじを形成する場合のくじ製造方法も容易に類推可能である。
【０１２０】
【発明の効果】
以上説明したように、本発明のくじ製造方法、製造装置によれば、あらかじめ定めた任意数量の当選くじ、または、設定した数量に近い数量の当選くじを、全くじ中にほぼ均一に、かつまたランダムに分散して、ビンゴゲーム用カードのような、可能な限り無作為に数字を配列した数字マトリックスを用いるくじを自在に制作することができる。しかも、単純な制御情報とくじ数量を設定すれば、当選くじを含む所定の発行くじ総量分のくじ用数字群情報を、人手を介することなく自動的に生成することができる。
【０１２１】
また、本発明のくじは、最初に発表する当選数字群の数字と符合する数字が、すべてのくじの数字マトリックスにおいて１個以上あり、さらに、最初に発表する当選数字群の数字、および／または中間で発表する当選数字群の数字と符合する数字によって、すべてのくじの数字マトリックスにおいて、あと一個で当選になる数字列が形成されるので、くじに対する当選期待が高まり、ひいてはこのくじを利用する商品に対する購買意欲に繋がり、商品の販売促進効果を生む。
【０１２２】
さらに、本発明では、当選くじにのみ、所定のマトリックス座標に、所定の当選判別数字を秘密に配列するので、大量の当選くじを検証する場合でも、当選くじか否かを迅速かつ正確に判別可能であり、しかも、万一、くじが変造されても、当選判別数字の有無により、変造くじを見破ることが容易になる。
【０１２３】
さらにまた、本発明のくじは、印刷した切り取り線を介して連接した綴じ込み片とともに刊行物に綴じ込んであるので、くじを刊行物から切り離すには、ハサミなどの器具が必要となり、刊行物を購入せずに、くじのみ持ち去るなどの不正を予防できる。しかも、くじ制作番号を綴じ込み片に印刷してあるので、くじの製造管理や当選管理が容易である。
【図面の簡単な説明】
【図  １】  くじの構成例である。
【図  ２】  当選列の説明図である。
【図  ３】  くじ製造装置の全体構成例である。
【図  ４】  処理装置のハードウェア構成図である。
【図  ５】  くじ情報生成装置の機能ブロック図である。
【図  ６】  くじ情報生成装置のメインメニュー画面例である。
【図  ７】  数字群生成部の構成例を示すブロック図である。
【図  ８】  発表用当選数字群と当選判別数字の一例である。
【図  ９】  発表用当選数字群の出力配列例である。
【図１０】  くじ情報の生成処理フロー図である。
【図１１】  くじ情報生成処理のメニュー画面例である。
【図１２】  当選制御セルと当選判別セルの設定例を示す説明図である。
【図１３】  非当選くじの数字群生成例を示す説明図である。
【図１４】  当選制御列の選択方法を示す説明図である。
【図１５】  当選制御列の選択例を示す説明図である。
【図１６】  次選くじの数字群生成例を示す説明図である。
【図１７】  当選くじの数字群生成例を示す説明図である。
【図１８】  当選判別数字の配列例を示す説明図である。
【図１９】  くじの実施例を示す平面図である。
【図２０】  くじ付刊行物の一例を示す斜視図である。
【符号の説明】
Ｚ  発行くじ総量
Ｐ  当選くじ数量
Ｍ、Ｍ１〜Ｍ５  当選制御セル
Ｎ  くじ制作番号
Ｔ  当選判別セル
Ｕ、Ｕ１〜Ｕ５  当選判別数字
Ｖ、Ｖ１〜Ｖ５  当選数字群
Ｖａ、Ｖｂ、Ｖｃ  発表用当選数字群
Ｗ、Ｗ１〜Ｗ５  非当選数字群
１０  くじ製造装置
１１  くじ情報生成装置
１２  くじ情報記録媒体
１３  印刷出力制御装置
１４  可変情報印刷装置
１５  くじ用紙
１６  当選数字群情報記録媒体
１７  製版出力制御装置
１８  製版出力装置
１９  製版材
２０  数字群生成部
２１  数字群記憶部
２２  発表用当選数字群記憶部
２３  当選数字群出力部
２４  制御情報設定部
２５  くじ数量設定部
３０  くじ情報生成部
３１  くじ情報計数部
３２  くじ種判別部
３３  非当選くじ情報生成部
３４  当選制御列選択部
３５  次選くじ情報生成部
３６  当選くじ情報生成部
３７  くじ情報記憶部
３８  くじ情報出力部
４１  置数制御部
４２  置換制御部
４３  乱数発生器
５０  くじ情報生成メニュー
５１  制御情報入力部
５２  くじ情報計数表示部
６１  符合配列部
６２  当選制御列抽出部
６３  乱数発生器
７０  くじ
７１  マトリックス
７２  くじ制作番号
７３  所有者記入欄
７４  切り取り線
７５  綴じ込み片
８０  書籍
８１  当選番号
【図１】
0004489251.tif 000002
【図２】
0004489251.tif 000003
【図３】
0004489251.tif 000004
【図４】
0004489251.tif 000005
【図５】
0004489251.tif 000006
【図６】
0004489251.tif 000007
【図７】
0004489251.tif 000008
【図８】
0004489251.tif 000009
【図９】
0004489251.tif 000010
【図１０】
0004489251.tif 000011
【図１１】
0004489251.tif 000012
【図１２】
0004489251.tif 000013
【図１３】
0004489251.tif 000014
【図１４】
0004489251.tif 000015
【図１５】
0004489251.tif 000016
【図１６】
0004489251.tif 000017
【図１７】
0004489251.tif 000018
【図１８】
0004489251.tif 000019
【図１９】
0004489251.tif 000020
【図２０】
0004489251.tif 000021